(57)【要約】  長尺な直線パイプ状の取手用ポールと、取手用ポールの上部側で直交方向に亘って蛍光灯のガラス管を受ける横長な四角筒形の横桁フレームを基体とし、横桁フレームの幅方向両側から向き合う一対の挟持爪により蛍光灯のガラス管を把持し乃至は解放するチャックと、横桁フレームの片筒端より外方の延長方向に伸出し可能な可動フレームと、蛍光灯の口金近くを非接触状態で受け入れて可動フレームの伸出しでソケットケースの前面側と当接可能なプッシャとを備え、可動フレームの作動機構を横桁フレームの筒内より取手用ポールの筒内に配置し、握り操作用の操作レバーと可動フレームの作動機構とを取手用ポールの筒内に配置する牽引条で繋ぎ、可動フレームの伸出し長さを蛍光灯の端子ピン一本分長さに相当し、プッシャを含む横桁フレームの長さを蛍光灯の端子ピン一本分長さ短く設定した直管型蛍光灯の着脱交換器具。
2010023763.tif 000002
【特許請求の範囲】
【請求項１】
両側の口金を両側のソケットケースでバネ変位可能に収容した各ソケットに当接すると共に、各端子ピンを各ソケットの端子穴に差し込んで電気的に接続する直管型蛍光灯の着脱交換器具であって、
長尺な直線パイプ状の取手用ポールと、取手用ポールの上部側で直交方向に亘って蛍光灯のガラス管を受ける横長な四角筒形の横桁フレームを基体とし、
横桁フレームの幅方向両側から向き合って上端側から開き，閉じ可能に引張バネで引合い支持した一対の挟持爪により、蛍光灯のガラス管を把持し乃至は解放するチャックを横桁フレームより上方に向けて設け、
横桁フレームの片筒端より外方の延長方向に伸出し可能な可動フレームを横桁フレームの筒内に挿置し、
蛍光灯の口金近くを非接触状態で受け入れてソケットケースの前面側と当接可能なプッシャを可動フレームの伸出し側端部に設け、
可動フレームの作動機構を横桁フレームの筒内より取手用ポールの筒内に配置し、
操作レバーと可動フレームの作動機構とは、取手用ポールの筒内に配置する牽引条で繋ぎ、
可動フレームの伸出し長さは、蛍光灯の端子ピン一本分長さに相当し、
プッシャを含む横桁フレームの長さは、蛍光灯の端子ピン一本分長さ短く設定したことを特徴とする直管型蛍光灯の着脱交換器具。
【請求項２】
取手用ポールは横桁フレームの略中央に備え、チャックは横桁フレームの略中央より等間隔を長手方向に隔てた両側に備えたことを特徴とする請求項１に記載の直管型蛍光灯の着脱交換器具。
【請求項３】
チャックは、中央の横軸部より左右の縦軸部を直角に折り曲げ、両縦軸部の下端寄りをＬ字状の基軸部として同方向に折り曲げた爪基枠と、爪基枠の横軸部より上方に向かう上側板面をガラス管の曲面に略相応させて湾曲し、両側縁を縦軸部の軸上部寄りに曲込み固定した支持板とでなる一対の挟持爪を備え、
一対の挟持爪は、横桁フレームの幅方向両側から相向き合い、爪基枠の各基軸部を横桁フレームの前後面に開口した係止穴より筒内に挿入し、各バネ端を横桁フレームの前後面に開口した抜き穴より外方に引き出させて相対する両縦軸部に掛け止める引張りバネを横桁フレームの筒内幅方向に組み付けて引合い支持し、
チャックは、一対の挟持爪を上端側から引張りバネで開き，閉じ可能に備え付けたことを特徴とする請求項１または２に記載の直管型蛍光灯の着脱交換器具。
【請求項４】
チャックは、引張りバネの掛止め位置より上方の相対間に割り込んで各挟持爪を上端側から開き状態に保つ楔状ロックを備え、
楔状ロックは、横桁フレームの下部側から前後側に亘る外枠と、外枠の上部間に橋絡固定する内枠とからなり
外枠は、横桁フレームより縦長で横桁フレームの下部側から前後側に亘る上向き溝形の枠本体と、枠本体の各上端側より外方に張り出す段部と、段部より直立する割込み部と、割込み部より上方に向って斜め内方に折れ曲がるガイド部とからなり、支持板の各下側より挟持爪の内側に臨ませて外枠を横桁フレームの下部側から前後側に配置し、
内枠は、外枠の段部からガイド部の中腹までの内側に嵌り合う嵌め板部と、ガイド部の双方間に亘る橋絡板部とから形成し、横桁フレームの上方から外枠の内側に嵌込み固定し、
楔状ロックは、作業員が外枠を横桁フレームの下部側から押し上げると、割込み部が挟持爪の相対間に割り込んで挟持爪を上端側から開き状態に保ち、一方、蛍光灯のガラス管を開き状態の上端側より挟持爪の間に受け入れ、ガラス管が橋絡板部に当たって内枠がガラス管で押し下げられるに伴って、外枠の割込み部が挟持爪の相対間より外れ、挟持爪を引張りバネで閉じさせるよう備え付けたことを特徴とする請求項３に記載の直管型蛍光灯の着脱交換器具。
【請求項５】
プッシャは、前後２つが向き合い組み合さってガラス管の径より大きな内部空間を呈する円弧枠でなり、
各円弧枠は、立上り板が円弧枠の幅に相当する間隔を隔てて上方に立ち上がる立付けブラケットで可動フレームの長手方向に亘る幅方向両側から支持し、所定の間隔を下端側に保って略下半分を立上り板の内側に組み付けると共に、略中腹近く下寄りの肉厚部に挿通させて立上り板に掛け渡す支軸ピンで軸承し、
プッシャは、上向きに開いて口金近くを受け入れまたは閉じて口金近くを囲い込めるよう備え付けたことを特徴とする請求項１に記載の直管型蛍光灯の着脱交換器具。
【請求項６】
可動フレームの作動機構は、中央の作動軸を介して横桁フレームの長手方向両側に亘る一対の屈伸リンクと、取手用ポールの下端寄り握り手側に設けた握り操作用の操作レバーとを備え、
作動軸は、横桁フレームの筒内より取手用ポールの筒内に至る縦方向に配置すると共に、取手用ポールの筒内に組み付けた伸長スプリングにより横桁フレームの筒内に向けて押上げ支持し、
一対の屈伸リンクはいずれも各片端側を作動軸の軸上端側に支軸ピンで軸承連結し、一方の屈伸リンクは他端側を横桁フレームの所定部位に軸承連結し、他方の屈伸リンクは他端側を可動フレームの所定部位に軸承連結させて組み付け、
伸長スプリングは、作動軸を押上げ支持すると共に、屈伸リンクを屈接状態に保ち、且つ、可動フレームを横桁フレームの筒内で退却状態に保つよう備え付けたことを特徴とする請求項１に記載の直管型蛍光灯の着脱交換器具。
【請求項７】
操作レバーは、レバー本体，橋絡杆を備え、取手用ポールの外側に嵌め合わされた固定環を上部側に、取手用ポールの外側にスライド可能に嵌め合わされた可動環を下部側に備えて組み立て、
レバー本体は上端側を固定環に枢軸ピンで軸承連結し、橋絡杆は片端側をレバー本体の中腹辺に枢着ピンで連結し、他端側を可動環に枢軸ピンで連結させて組み付け、
操作レバーは、牽引条の下端側を可動環に連結し、握り操作により可動環をスライド下降することにより伸長スプリングに抗して作動軸を引張り下げるレバーとして取手用ポールの軸下寄り握り手側に備え付けたことを特徴とする請求項１に記載の直管型蛍光灯の着脱交換器具。
【発明の詳細な説明】
【技術分野】
【０００１】
本発明は、比較的高所の天井等に設置される直管型蛍光灯の着脱交換器具に関するものである。
【背景技術】
【０００２】
本出願人は、先に、左右対のソケットケースでバネ変位可能に収容した各ソケットに対して蛍光灯の各口金を当接し、各端子ピンを各ソケットの端子穴に差し込んで電気的に接続することにより、比較的高所の天井等に設置される直管型蛍光灯の着脱交換器具を提案した（日本特許出願公開番号：特開２００７−７３２１０号）。
先に提案した直管型蛍光灯の着脱交換器具は、長尺な直線状の取手用ポールと、取手用ポールの上部側で直交方向に亘って蛍光灯のガラス管を受け止める横長な略四角筒形の横桁フレームを基体に、次のような各部を備えて構成されている。
横桁フレームには、蛍光灯のガラス管を把持し乃至は解放するチャックが横桁フレームの長手方向に間隔を隔てて２つ上向きに立て付けて設けられている。横桁フレームはガラス管の径に略相応した幅を有し、チャックは横桁フレームの幅方向両側から相向き合う一対の挟持爪で組み立てられている。一対の挟持爪は、下端寄りを横桁フレームの幅方向に亘る引張りバネで引合い支持することにより、上端側から開き，閉じ可能に取り付けられている。
横桁フレームには、片筒端より外方の延長方向に伸出し可能な可動フレームが設けられている。可動フレームは、横桁フレームの筒内に配置する引張りバネにより筒内の退却方向に引張支持されている。可動フレームの伸出し側端部には、蛍光灯の口金近くを相対的にズレ動き可能に受け入れてソケットケースの前面と当接させるプッシャが設けられている。
可動フレームは、横桁フレームの筒内に配置される偏心カムで押圧することにより、引張りバネに抗して横桁フレームの片筒端から外方の延長方向に伸出し可能に取り付けられている。取手用ポールの上端側には、偏心カムの支軸が植設されている。偏心カムの支軸は、横桁フレームの底部側より筒内に挿通させて横桁フレームの上部側で回転可能に軸受けされている。偏心カムは、横桁フレームの筒内に位置する作動軸の軸線上に取付け固定されている。
このように構成する直管型蛍光灯の着脱交換器具では、蛍光灯を取り外す場合で説明すると、作業員が取手用ポールを手で持って具全体を蛍光灯の設置場所まで持ち上げ、まず、プッシャを片方のソケットケースに当接すると共に、チャックを蛍光灯のガラス管に押し付け、引張りバネに抗して一対の挟持爪を開かせ、ガラス管を挟持爪の間に取り込んでガラス管をチャックにより把持させる。次に、作業員が取手用ポールの全長を軸回りに回転させて支軸で保持した偏心カムを回転し、可動フレームを偏心カムで押し遣って横桁フレームの片筒端より延長方向に伸び出させる。
作業員がなおも取手用ポールを軸回りに回転させて偏心カムを回転させ、可動フレームを更に伸び出させると、チャックで挟持した灯全体がプッシャと反対側のソケットをソケットケースの内部にバネ変位で没入させてプッシャと相対的にズレ動く。横桁フレームのプッシャと反対側の端部がソケットケースの前面側に当接すると、プッシャと相対的にズレ動く口金側の端子ピンがソケットの端子穴より外れ出る。
プッシャ側の端子ピンがソケットの端子穴より外れた状態から、取手用ポールを回転状態に保ったままに、具全体を取手用ポールでやや斜めの姿勢にし、プッシャ側と反対側のソケットをソケットケースの内側でバネ変位により斜めに没入させながら、具全体をプッシャ側から引き下げる。これにより、ソケットケースに当接しているプッシャを当該ソケットケースからズラし外す。プッシャがソケットケースより外れると、プッシャ側と反対側の端子ピンもソケットの端子穴から外し出せ、チャックで挟持した蛍光灯を取手用ポールの引き下ろしで作業員の手元まで持ち運べる。
上述した直管型蛍光灯の着脱交換器具による蛍光灯の取外しに際し、また、新規な蛍光灯の取付けに際しても同じく、作業者が取手用ポールを手で持って具全体を高所の天井等にまで向けた状態で、顔を上に向けて取手用ポールの全長を軸回りに回転することから、可動フレームの伸出し操作を行うことが必要となる。
上述した直管型蛍光灯の着脱交換器具では、具全体を高所の天井等にまで向けて取手用ポールの全長を軸回りに回転するという操作性の不安定な作業が要求されるところから更なる改善が望まれる。
【発明の開示】
【０００３】
本発明は、作業者が取手用ポールを手で持って具全体を支えるというだけで、操作レバーにより可動フレームを横桁フレームの片筒端より延長方向に伸出し移動させるよう構成することから、蛍光灯を簡単な操作で確実に取付け乃至は取外し可能な直管型蛍光灯の着脱交換器具を構成することを課題とする。
更なる課題は、主要な各部を次のように構成するところにある。
以下、直管型蛍光灯の構成部位を「ガラス管」、「口金」、「端子ピン」と単に表現することがある。また、横桁フレームを長手方向で見て「正面」とし、横桁フレームの長手方向両側を「左右」といい、横桁フレームの幅方向を「前後」といい、横桁フレームの縦方向を「上下」という。
作業者が取手用ポールを手で持って具全体を高所の天井等にまで向けるに、バランスよく作業可能な直管型蛍光灯の着脱交換器具を構成する。
比較的高所の天井等に設置された蛍光灯のガラス管をチャックで把持するに、一対の相対する挟持爪を上端側から開いた状態に保って具全体を高所に取手用ポールで持ち運び、ガラス管を上端側の開いた挟持爪の内側に受け入れて閉じさせることから、ガラス管を安定よく確実に把持可能なチャックを備え付ける。
比較的高所の天井等に備えられた蛍光灯の口金付近をプッシャで相対的にズレ動き可能に受け入れるに、口金付近を蛍光灯に中心軸と同軸上に囲い込めて安定よく相対的にズラし動きさせられるプッシャを備え付ける。
可動フレームを横桁フレームの片筒端より延長方向に伸出し移動するに、可動フレームの作動機構を簡単な機構で構成する。
可動フレームを横桁フレームの片筒端より延長方向に伸出し移動するに、具全体を取手用ポールで安定よく支えながら容易に操作可能な操作レバーを備え付ける。
その他の特徴部分は、好ましい実施例の詳細な説明中でも更に明らかになるであろう。
本発明に係る直管型蛍光灯の着脱交換器具は、先のものと同様に、長尺な直線状の取手用ポールと、取手用ポールの上部側で直交方向に亘って蛍光灯のガラス管を受け止める横長な四角筒形の横桁フレームを基体に構成されている。
取手用ポールは、ステンレス等の金属製丸パイプで形成されている。横桁フレームは、ガラス管の径と略同じ幅を有するステンレス等の金属製角パイプで形成されている。
横桁フレームの略中央には、ポールホルダーが下方に向けて取り付けられている。ポールホルダーは、取手用ポールの上端部を嵌め込んで取手用ポールを連結可能な円筒状の樹脂製パイプで形成されている。
横桁フレームには、次のチャック，可動フレーム，プッシャが備え付けられている。
チャックは、蛍光灯のガラス管を把持乃至は解放するもので、横桁フレームの中央位置より略等間隔を長手方向に隔てて少なくとも２つ上向きに立て付けて設けられている。各チャックは、横桁フレームの幅方向両側から相向き合う一対の挟持爪で組み立てられている。一対の挟持爪は、横桁フレームの幅方向に亘って中腹近く下寄りに掛け渡す引張りバネで引合い支持することから、上端側より開き，閉じ可能に取り付けられている。
各チャックには、引張りバネの掛渡し位置より上方の相対間に割り込んで各挟持爪を開き状態に保つ楔状ロックが組み付けられている。楔状ロックは、横桁フレームの下部側から両側部に亘って上下動可能に配置されている。楔状ロックは、作業員が横桁フレームの下部側から押し上げると、挟持爪の相対間に割り込んで各挟持爪を開き状態に保つ。また、ガラス管を開き状態の上端側より挟持爪の間に受け入れてガラス管で押し下げられると、挟持爪の相対間より外れ、挟持爪を引張りバネで閉じさせてガラス管をチャックで把持させるよう備え付けられている。
可動フレームは、金属製丸パイプで形成されている。可動フレームは、横桁フレームの片筒端から外方の延長方向に伸び出せるよう横桁フレームの筒内に挿置されている。また、後述するスプリングにより横桁フレームの筒内に退却するよう引張支持されている。
プッシャは、蛍光灯の口金近くを相対的にズレ動き可能に受け入れ、ソケットケースの前面側と当接させるよう可動フレームの外端部に取り付けられている。
プッシャは、前後２つが向き合い組み合さってガラス管の径より大きな内部空間を呈する樹脂製の円弧枠で組み立てられている。各円弧枠は可動フレームの長手方向に亘る幅を有し、各円弧枠の幅に相当する間隔を隔てて可動フレームより立ち上がる正面略上向き溝形の立付けブラケットに支軸ピンで軸承装着されている。
各円弧枠は、所定の間隔を下端間に保って略下半分を立付けブラケットの内側に配置すると共に、略中腹近く下寄りの肉厚部に挿通する支軸ピンを立付けブラケットの相対する立上り板に掛け渡すことにより、上向きに開いて口金近くを受け入れまたは閉じて口金近くを囲い込めるよう取り付けられている。立付けブラケットの立上り板は、プッシャにより囲い込むガラス管と接触しないようプッシャの略下半分に合わせて板面が略半円状に形取られている。
可動フレームは、中央の作動軸を介して横桁フレームの長手方向両側に亘る一対の屈伸リンクを含む作動機構により伸出し乃至は退却可能に連結支持されている。
一対の屈伸リンクは、いずれも各片端側が作動軸の軸上端側に支軸ピンで軸承連結されている。一方のリンクは、他端側が横桁フレームの所定部位に軸承連結されている。他方のリンクは、他端側が可動フレームの所定部位に軸承連結されている。一対の屈伸リンクは、他端側を横桁フレームの所定部位に軸承連結したリンクを支点に伸長する。
作動軸は、ポールホルダーの筒内より横桁フレームの略中央底部面に設けた切欠から筒内に至る縦方向に配置されている。
作動軸は、取手用ポールの筒内に組み付けた伸長スプリングにより横桁フレームの筒内に向けて押上げ支持されている。それに伴って、屈伸リンクが屈接状態に保たれていると共に、可動フレームが横桁フレームの筒内で退却状態に保たれている。
取手用ポールは軸下寄りを握り手側とし、握り手側には伸長スプリングに抗して作動軸を引張り下げる操作レバーが設けられている。操作レバーは握り操作するレバーでなり、作動軸とは取手用ポールの筒内に配置する金属ワイヤ，幅狭なリボン等の牽引条で連結されている。
操作レバーによる可動フレームの伸出しストロークは、端子ピンの一本分長さと略同等に設定されている。これにより、蛍光灯の取外し時にはプッシャと反対側のソケットをソケットケースの内部に没入させてプッシャ側の端子ピンをソケットの端子穴より抜き出せる。また、新規な蛍光灯の取付け時にはプッシャと反対側のソケットをソケットケース内に没入させてプッシャ側の端子ピンをソケットの端子穴と位置合せできる。
プッシャを含む横桁フレームの長さは、端子ピンの一本分長さ、換言すれば、可動フレームの伸出し分だけ短く形成されている。これにより、プッシャ側の端子ピンをソケットの端子穴より抜き出し、または、プッシャ側の端子ピンをソケットの端子穴と位置あわせするに、横桁フレームのプッシャと反対側の端部をソケットケースの前面側に当接することから、プッシャと相対的にズレ動く蛍光灯の灯全体によりプッシャと反対側のソケットをソケットケースの内部に没入させる押圧力を作用できる。
このように構成する直管型蛍光灯の着脱交換器具によっては、既設の蛍光灯を取り外すにあたり、まず、作業員が楔状ロックを挟持爪の相対間に割り込ませるよう押し上げてチャックの上端側を開き状態にする。プッシャは、一対の円弧枠を支軸ピンで回転させて下端側が当たり合うまで上向きの開き状態にする。
次に、作業者が取手用ポールを持って具全体を蛍光灯の設置場所まで持ち上げ、まず、プッシャの外側面を相対するソケットケースの前面側にあてがい、これを基準面として具全体をガラス管と平行に取手用ポールで押し上げる。
チャックが蛍光灯のガラス管を挟持爪の開いた相対間に受け入れると、楔状ロックが蛍光灯のガラス管により押し下げられて挟持爪の相対間から外れ、チャックは一対の挟持爪が閉じることから蛍光灯のガラス管を把持できる。
それと共に、プッシャは蛍光灯の口金付近を円弧枠の開いた内側に受け入れ、互いに当たっている下端側が口金付近で押されることから、円弧枠が閉る。これにより、プッシャは口金付近を蛍光灯の中心軸と同軸上の非接触状態に囲い込む。
このため、天井等の比較的高所に設置されている蛍光灯でもチャックで簡単且つ確実に把持するようにできる。
蛍光灯のガラス管をチャックで把持し、蛍光灯の口金をプッシャで取り囲んだならば、作業者が操作レバーを握って作動軸を引張り下げると、屈伸リンクが横桁フレームに連結した片方を支点に伸びて可動フレームを横桁フレームの片筒端より延長方向に伸び出させる。
プッシャがソケットケースと当接状態で、可動フレームが横桁フレームの片筒端より延長方向に伸び出すと、蛍光灯の灯全体によりプッシャと反対側のソケットを押圧し、当該ソケットをソケットケースの内部に没入させながら、蛍光灯のガラス管がチャックで把持されたままにプッシャと相対的にズレ動く。横桁フレームのプッシャ側と反対側の端部がソケットケースに当接すると、プッシャ側の端子ピンをソケットの端子穴より抜き出る。
プッシャ側の端子ピンがソケットの端子穴から外れた状態では、作業員がソケットケースに当接した横桁フレームのプッシャ側と反対側の端部を支点に取手用ポールをやや斜めの姿勢にし、プッシャ側と反対側のソケットをソケットケースの内部にバネ変位で斜めに没入させながら、具全体をプッシャ側から引き下げることから、ソケットケースに当接しているプッシャを当該ソケットケースよりズラし外す。
プッシャがソケットケースより外れると、プッシャ側と反対側の端子ピンもソケットの端子穴から外し出せて灯全体を取り外せる。
この後は、作業員が操作レバーの握りを解除し、ガラス管をチャックで把持したままの蛍光灯を取手用ポールで手元まで持ち運んでチャックから外せばよい。
操作レバーの握り解除に伴っては、作動軸が伸長スプリングにより上昇方向に押し上げられると共に、屈伸リンクが屈折状態に戻り、可動フレームが元のように横桁フレームの筒内に退却する。
新規な蛍光灯の取付けにあたっては、まず、作業者がプッシャの外側面と片方の口金の端面を基準面として合わせ、当該側の端子ピンをプッシャの外側面より突出させた状態で蛍光灯のガラス管をチャックで把持させ、蛍光灯を横桁フレームのフレーム上に組み付ける。
蛍光灯の組付け状態から、作業員が取手用ポールを持って蛍光灯を含む具全体を設置場所まで持ち上げ、具全体を取手用ポールでやや斜めに保ってプッシャと反対側の端子ピンをソケットの端子穴と位置合わせて差し込む。次に、作業員がプッシャと反対側のソケットを灯全体で斜めに没入変位させるよう押しながら、プッシャ側の端子ピンがソケットケースの下部近くに接近するまでプッシャをソケットケースとズラし上げる。
次に、作業者が操作レバーを握り、可動フレームを伸び出させて横桁フレームのプッシャと反対側の端部をソケットケースの前面側に当接させる。これにより、蛍光灯を含む具全体をプッシャと相対的にズレ動かせることから、プッシャと反対側のソケットを灯全体で没入変位させると共に、プッシャ側の端子ピンをソケットの端子穴と位置合わせするようにできる。
プッシャ側の端子ピンをソケットの端子穴に位置合せしたら、作業者が操作レバーの握りを解除すると、上述したように可動フレーム，屈伸リンク，作動軸が伸長スプリングにより復帰方向に戻ると共に、灯全体がプッシャ側のズレ動き、プッシャと反対側のソケットを迫り出させられると同時に、プッシャ側の端子ピンをソケットの端子穴に差し込める。
これにより、蛍光灯を高所の設置場所にも取り付けられ、作業者が具全体を取手用ポールで引き下げれば、チャックが引張りバネに抗して開き、プッシャも開いて取り付けた蛍光灯より外すようにできる。
その蛍光灯の取付け，取外しのいずれに際しても、チャックが蛍光灯のガラス管と擦れ動くことがなく、また、プッシャも蛍光灯のガラス管と摺接することがないため、ストレスをガラス管に加えないで、蛍光灯を簡単な操作で容易に着脱交換するようにできる。
【図面の簡単な説明】
【０００４】
図１は、一般的な直管型蛍光灯の構成並びに設置設備を示す説明図である。
図２は、本発明に係る直管型蛍光灯の着脱交換器具を全体的に示す正面図である。
図３は、取手用ポールを除く具全体を示す正面図である。
図４ａは、チャックを示す側面図である。
図４ｂは、チャックを示す正面図である。
図５ａは、チャックを組み立てる挟持爪を示す正面図である。
図５ｂは、挟持爪を示す側面図である。
図５ｃは、挟持爪を示す内面図である
図６は、チャックに組み付けられる楔状ロックを示す側面図である。
図７ａは、プッシャを示す側面図である。
図７ｂは、プッシャを示す正面図である。
図８は、可動フレームの作動機構を正面側から示す断面図である。
図９は、可動フレームの作動機構を側面側から示す断面図を含み、可動フレームの作動機構を動作させる操作レバーを示す側面図である。
図１０は、具全体と蛍光灯の相関関係を示す説明図である。
図１１は、横桁フレームを支える補強フレームを示す仰角斜視図である。
図１２は、チャックの開き状態を示す説明図である。
図１３は、プッシャの開き状態を示す説明図である。
図１４は、既設の蛍光灯を取り外す初期段階の具全体を示す説明図である。
図１５ａは、チャックによる蛍光灯の受入れ状態を示す説明図である。
図１５ｂは、チャックによる蛍光灯の挟持状態を示す説明図である。
図１６ａは、プッシャによる蛍光灯の受入れ状態を示す説明図である。
図１６ｂは、プッシャによる蛍光灯の囲込み状態を示す説明図である。
図１７は、既設の蛍光灯を保持した状態の具全体を示す説明図である。
図１８ａは、可動フレームの作動機構を操作レバーによる動作状態で示す説明図である。
図１８ｂは、可動フレームの作動機構を屈伸リンクの伸長状態で示す説明図である。
図１９は、既設のソケットから片方の端子ピンを抜き出した状態の具全体を示す説明図である。
図２０は、既設の蛍光灯を取り外す途中段階の具全体を示す説明図である。
図２１は、新規の蛍光灯を取り付ける初期段階の具全体を示す説明図である。
【発明を実施するための最良の形態】
【０００５】
本発明に係る直管型蛍光灯の着脱交換器具（以下、「本器具」という。）は、図１で示すように直線状のガラス管Ｇと、ガラス管Ｇの左右に取り付けられた口金Ｃ１，Ｃ２と、口金Ｃ１，Ｃ２より突出する端子ピンＰ１，Ｐ２とからなる直管型の蛍光灯を着脱交換するに用いられる。
蛍光灯の設置設備は、ソケットケースＮ１，Ｎ２を天井カバーＲの左右内側に備えると共に、ソケットＳ１，Ｓ２をソケットケースＮ１，Ｎ２の内部でバネ変位可能に備え、口金Ｃ１，Ｃ２をソケットＳ１，Ｓ２に当接し、端子ピンＰ１，Ｐ２をソケットＳ１，Ｓ２の端子穴（符号なし）に差し込むことから電気的に接続するよう備え付けられている。
本器具は、図２で示すように長尺な直線状の取手用ポール１と、取手用ポール１の上部側で直交方向に亘って蛍光灯のガラス管を受け止める横長な四角筒形の横桁フレーム２を基体に構成されている。
取手用ポール２は、ステンレス等の金属製丸パイプで形成されている。横桁フレーム２は、ガラス管の径と略同じ幅を有するステンレス等の金属製角パイプで形成されている。横桁フレーム２の上部面には、ガラス管との接触を緩衝すると共に、蛍光灯の滑り止める弾性パッド２ａが張設されている。
横桁フレーム２の略中央には、ポールホルダー３が下向きに立て付けて取り付けられている。ポールホルダー３は、取手用ポール１の上端部を嵌め込んで取手用ポール１を連結可能な円筒状の樹脂製パイプで形成されている。
横桁フレーム２には、図３で示すようにチャック４，４’、可動フレーム５、プッシャ６が備え付けられている。
チャック４，４’は、蛍光灯のガラス管を把持乃至は解放するもので、横桁フレーム２の中央位置より略等間隔を長手方向に隔てて少なくとも２つ上向きに立て付けて設けられている。
各チャック４，４’は、図４ａ，図４ｂで示す（片方のみ図示）ように横桁フレーム２の幅方向両側から相向き合う一対の挟持爪４ａ，４ｂで組み立てられている。一対の挟持爪４ａ，４ｂは、横桁フレーム２の幅方向に亘る引張りバネ４ｃ，４ｄを中腹近く下寄りに掛け渡すことにより、上端側から開き，閉じ可能に引張りバネ４ｃ，４ｄで引合い支持されている。
引張りバネ４ｃ，４ｄはコイルスプリングでなり、バネ本体を横桁フレーム２の筒内幅方向に配置し、横桁フレーム２の前，後部面に設けた抜き穴（符号なし）より外に引き出すバネ端を後述する爪基枠の縦軸部に掛け止めて横桁フレーム２の幅方向に亘るよう掛け渡されている。
一対の挟持爪４ａ，４ｂは、図５ａ〜図５ｃで示す（片方のみ図示）ように金属線材の爪基枠４０と、金属薄板の支持板４１とから形成されている。支持板４１には、緩衝用の弾性パッド４２が上端寄り内面に貼付け固定されている。
爪基枠４０は、中央の横軸部４０ａより左右の縦軸部４０ｂ，４０ｃを直角に折り曲げ、両縦軸部４０ｂ，４０ｃの下端寄りをＬ字状の基軸部４０ｄ，４０ｅとして同方向に折り曲げ、更に、上述した引張りバネ４ｃ，４ｄを掛け止める略Ｖ字状の軸曲げ部４０ｆ，４０ｇを両縦軸部４０ｂ，４０ｃの略中腹に折り曲げて形成されている。
支持板４１は、爪基枠４０の横軸部４０ａより上方に向かう上側板面をガラス管の曲面に略相応させて湾曲した挟み部４１ａと、両側縁を縦軸部４０ｂ，４０ｃの軸上部寄りに曲込み固定した輪曲げ部４１ｂ，４１ｃと、下側板面を内側に折り曲げたガイド縁４１ｄを備えて形成されている。
一対の挟持爪４ａ，４ｂは、図４ａ，４ｂで示すように爪基枠４０の各基軸部４０ｄ，４０ｅを横桁フレーム２の前後面に開口した係止穴（符号なし）より筒内に挿入し、引張りバネ４ｃ，４ｄを横桁フレーム２の筒内幅方向に配置すると共に、各バネ端を横桁フレーム２の各側面に開口する抜き穴（符号なし）より外方に引き出させて両縦軸部４０ｂ，４０ｃの軸曲げ部４０ｆ，４０ｇに掛け止めることから、横桁フレーム２の幅方向両側から相向き合うよう組み付けられている。
上述した構成から、チャック４，４’は、爪基枠４０の基軸部４０ｄ，４０ｅを支点に、引張バネ４ｃ，４ｄで引張り合う一対の挟持爪４ａ，４ｂを上端側より開き，閉じすることから、蛍光灯のガラス管を把持し乃至は解放するよう横桁フレーム２に立て付けて設けられている。
各チャック４，４’には、図４ａ，４ｂで示すように引張りバネ４ｃ，４ｄの掛止め位置より上方の相対間に割り込んで各挟持爪４ａ，４ｂの上端側を開き状態に保つ楔状ロック４ｅが組み付けられている。楔状ロック４ｅは、横桁フレーム２の下部側から前後側に亘る外枠４３と、外枠４３の上部間に橋絡固定する内枠４４と、内枠４４の上部面に貼付け固定する弾性パッド４５を備えて組み立てられている。
楔状ロック４ｅの外枠４３は、図６で示すように横桁フレーム２より縦長で横桁フレーム２の下部側から前後側に亘る上向き溝形の枠本体４３ａと、枠本体４３ａの各上端側より外方に張り出す段部４３ｂ，４３ｃと、段部４３ｂ，４３ｃより直立する割込み部４３ｄ，４３ｅと、割込み部４３ｄ，４３ｅより上方に向って斜め内方に折れ曲がる先端部４３ｆ，４３ｇを備えて金属平板から折曲げ形成されている。内枠４４は、外枠４３の段部４３ｂ，４３ｃから先端部４３ｆ，４３ｇの中腹までの内側に嵌り合う嵌め板部４４ａ，４４ｂと、先端部４３ｆ，４３ｇの双方間に亘る橋絡板部４４ｃを備えて金属平板から折曲げ形成されている。
外枠４３は、先端部４３ｆ，４３ｇを挟持爪４ａ，４ｂのガイド縁４１ｄ（符号を片側のみ付す）の各下側より挟持爪４ａ，４ｂの内側に臨ませて横桁フレーム２の下部側から前後側に嵌り合い配置されている。内枠４４は、横桁フレーム２の上方から外枠４３の内側に嵌め込まれている。外枠４３は、図４ｂで示すようにガイドピン４６を横桁フレーム２の前後面に設けられる縦長穴２ｂに挿通することから上下にガイド可能に組み付けられている。
楔状ロック４ｅは、作業員が外枠４３を横桁フレーム２の下部側から押し上げると、割込み部４３ｄ，４３ｅが挟持爪４ａ，４ｂのガイド縁４１ｄに当接するまで相対間に割り込んで挟持爪４ａ，４ｂの上端側を開き状態に保つ。また、蛍光灯のガラス管を開き状態の上端側より挟持爪４ａ，４ｂの間に受け入れ、ガラス管が橋絡板部４４ｃに当たって内枠４４がガラス管で押し下げられる。これに伴って、外枠４３の割込み部４３ｄ，４３ｅが挟持爪４ａ，４ｂの相対間より外れ、挟持爪４ａ，４ｂを引張りバネ４ｃ，４ｄで閉じさせるよう備え付けられている。
可動フレーム５は、金属製丸パイプで形成されている。可動フレーム５は、図３で示すように横桁フレーム２の片筒端より外方の延長方向に伸び出せるよう横桁フレーム２の筒内に挿置されている。また、後述するスプリングにより横桁フレーム２の筒内に退却するよう引張支持されている。
プッシャ６は、蛍光灯の口金近くを相対的にズレ動き可能に受け入れ、ソケットケースの前面と当接させるよう可動フレーム５の伸出し側端部に取り付けられている。
プッシャ６は、図７ａ，図７ｂで示すように前後２つが向き合い組み合さってガラス管の径より大きな内部空間を呈する樹脂製の円弧枠６ａ，６ｂで組み立てられている。各円弧枠６ａ，６ｂは、可動フレーム５の長手方向に亘る幅を有し、幅方向両側から立付けブラケット６ｃで支持されている。立付けブラケット６ｃは、立上り板６０，６１が円弧枠６ａ，６ｂの幅に相当する間隔を隔てて底辺板６２より上方に立ち上がる正面略上向き溝形に形成されている。
各円弧枠６ａ，６ｂは、所定の間隔を下端側に保って略下半分を立上り板６０，６１の内側に組み付けると共に、支軸ピン６３，６４を略中腹近く下寄りの肉厚部に挿通させて立上り板６０，６１に掛け渡すことにより、上向きに開いて口金近くを受け入れまたは閉じて口金近くを囲い込めるよう取り付けられている。立付けブラケット６ｃの立上り板６０，６１は、プッシャ６により囲い込むガラス管と接触しないようプッシャ６の略下半分に合わせて略半円状に形取られている。
プッシャ６には、プッシャ６をソケットケースより外し易くするべく、斜めの面取り部６５，６６が外面側の上端面に設けられている。また、各円弧枠６ａ，６ｂが何れかに偏って閉じるのを防ぐよう、先端側が各円弧枠６ａ，６ｂの下部側に突き当って正常な閉じ状態に保つ側面略Ｖ字状の規制板５ａが設けられている。規制板５ａは、円弧枠６ａ，６ｂの立付けブラケット６ｃと共に、締付けボルト５ｂにより可動フレーム５の下面側に共締め固定されている。
可動フレーム５は、図３で示すように中央の作動軸７ａを介して横桁フレーム２の長手方向両側に亘る一対の屈伸リンク７ｂ，７ｃを含む作動機構７により伸出し乃至は退却可能に連結支持されている。
一対の屈伸リンク７ｂ，７ｃは、図８で示すようにいずれも内端側が作動軸７ａの軸上端側に支軸ピン７０で軸承連結されている。屈伸リンク７ｂ，７ｃのうち、一方７ｂは外端側が横桁フレーム２の下部側に取り付けた支持ブラケット２ｃに支軸ピン７１で軸承連結されている。他方７ｃは、外端側が可動フレーム５の上部側から下方に向けて取り付けた支持ブラケット５ｃに支軸ピン７２で軸承連結されている。屈伸リンク７ｂ，７ｃの外端側は、横桁フレーム２の底部面長手方向に設けた切欠（図示せず）より下方に伸びるよう組み付けられている。
作動軸７ａは、ポールホルダー３の筒内より横桁フレーム２の略中央底部面に設けた切欠（図示せず）から筒内に至る縦方向に配置されている。
作動軸７ａは、下端側をガイド用の支軸ピン７３で連結する円筒状の保持管７４により支えられている。保持管７４は、取手用ポール１の上端側筒内にスライド可能に挿置した円盤状の可動片７５により支持されている。
保持管７４と可動片７５とは、図９で示すようにポールホルダー３の外側に配置した連結プレート７６で一体に組み立てられている。連結プレート７６は、上端側が支軸ピン７３と同軸の軸外端で保持され、下端側がポールホルダー３の外側より可動片７４に螺着する植立ボルト７７で保持されている。支軸ピン７３は、ポールホルダー３の側面に設けた縦長穴３ａ，３ｂでスライド可能に挿通配置されている。植立ボルト７７は、支軸ピン７３の縦長穴３ａと間隔を隔てて下方に同じ長さでポールホルダー３並びに取手用ポール１の側面に設けた同じ長さの縦長穴３ｃ（符号は、ポールホルダー側のみに付する。）にスライド可能に挿通配置されている。
作動軸７ａは、取手用ポール３の筒内に組み付けた伸長コイルスプリング７８により横桁フレーム２の筒内に向けて押上げ支持されている。これに伴って、屈伸リンク７ｂ，７ｃが屈接状態に保たれていると共に、可動フレーム５が横桁フレーム２の筒内で退却状態に保たれている（図３参照）。伸長コイルスプリング７８は、取手用ポール１の筒内に嵌着した円盤状の固定片１ａと可動片７４との間に伸長状態で組み付けられている。
取手用ポール１は軸下寄りを握り手側（図１参照）とし、握り手側には伸長コイルスプリング７８に抗して作動軸７ａを引張り下げる操作レバー８が設けられている。操作レバー８は，レバー本体８ａ，橋絡杆８ｂを備えて組み立てられている。また、取手用ポール１の外側に嵌め合わされた固定環８ｃを上部側に、取手用ポール１の外側にスライド可能に嵌め合わされた可動環８ｄを下部側に備えて組み立てられている。
レバー本体８ａは、上端側が固定環８ｃに枢軸ピン８０で軸承連結されている。橋絡杆８ｂは、片端側がレバー本体９ａの中腹辺に枢着ピン８１で軸承連結され、他端側が可動環８ｄに枢軸ピン８２で軸承連結されている。操作レバー８は、握り操作により可動環８ｄをスライド下降するレバーとして取手用ポール１に取り付けられている。可動環８ｄには、スライドに伴う作業者の手との接触を避けられるよう、面取り部８３が環下方の周面略半分を斜めに切り欠いて設けられている。
操作レバー８と作動軸７ａとは、取手用ポール１の筒内に挿通する金属ワイヤまたは細幅リボン等の牽引条９で連結されている。牽引条９の上端側は、固定片１ａから伸長コイルスプリング７８に挿通させて可動片７５に連結されている。牽引条９の下端側は、可動環８ｄのガイドピン８４に連結されている。ガイドピン８４は、取手用ポール１の側面に設けた縦長穴１ｂで上下可能に挿通保持されている。
操作レバー８による可動フレーム５の伸出しストロークは、図１０で示すように端子ピンＰ１，Ｐ２の一本分長さＬ１と略同等に設定されている。これにより、蛍光灯の取外し時にはプッシャ６と反対側のソケットＳ２をソケットケースＮ２の内部に没入させてプッシャ６側の端子ピンＰ１をソケットＳ１の端子穴より抜き出せる。また、新規な蛍光灯の取付け時にはプッシャ６と反対側のソケットＳ２をソケットケースＮ２の内部に没入させてプッシャ６側の端子ピンＰ１をソケットＳ１の端子穴と位置合せできる。
プッシャ６を含む横桁フレーム２の長さは蛍光灯の長さよりも短く、端子ピンＰ１，Ｐ２の一本分長さＬ１乃至は可動フレーム５の伸出し分Ｌ２だけ短く形成されている。これにより、プッシャ６側の端子ピンＰ１をソケットＳ１の端子穴より抜き出し、または、プッシャ側の端子ピンＰ１を同側のソケットＳ１の端子穴と位置あわせするに、横桁フレーム２のプッシャ６と反対側の端部をソケットケースＮ２の前面側に当接することから、プッシャ６と相対的にズレ動く蛍光灯の灯全体によりプッシャ６と反対側のソケットＳ２をソケットケースＮ２の内部に没入させる押圧力を作用するようにできる。
上述した他の細部に亘って構成を説明すると、ポールホルダー３の上端側には横桁フレーム２の幅に相当する切欠（図示せず）が左右の側面に設けられている。ポールホルダー３は、横桁フレーム２の略中央部分を切欠に嵌め込んで前後面をビス止め等で固定することにより横桁フレーム２の下部側に取り付けられている（図２参照）。ポールホルダー３の横桁フレーム２に対する取付けは、図１で示すようにポールホルダー３の左右側部に取り付ける筋交いフレーム１０，１０’で補強されている。筋交いフレーム１０，１０’は、横桁フレーム２の前後面とポールホルダー３の側面とにあてがってビス止め等で固定することによりポールホルダー３と横桁フレーム２との間に亘って取り付けられている。
筋交いフレーム１０，１０’は、図１１で示す（片方のみ図示）ように横桁フレーム２の横幅に相当する間隔を隔てて相対する前後の略三角形板１０ａ，１０ｂと、ポールホルダー３の曲面に合わせて湾曲した橋絡板１０ｃとからなり、複数のビス止め穴１０ｄを略三角形板１０ａ，１０ｂの上辺寄り板面並びに橋絡板１０ｃの板面（図示せず）に設けて形成されている。
取手用ポール１は、図３で示すように取手用ポール１の側面に圧接する締付けボルト３ｄをポールホルダー３の外側からねじ込み乃至はねじ戻し可能に設けてポールホルダー３より取外し可能に備え付けられている。
このように構成する直管型蛍光灯の着脱交換器具によっては、既設の蛍光灯を取り外すにあたり、まず、図１２で示すように作業員が楔状ロック４ｅの割込み部４３ｄ，４３ｅを挟持爪４ａ，４ｂのガイド縁４１ｄに当接させて相対間に割り込ませるよう押し上げることから、チャック４（以下、チャック４’も同じ）の挟持爪４ａ，４ｂを上端側より開き状態にする。プッシャ６は、図１３で示すように一対の円弧枠６ａ，６ｂを支軸ピン６３，６４で回転させて下端側が当たり合うまで上向きの開き状態にする。
次に、作業者が取手用ポール１を持って具全体を蛍光灯の設置場所まで持ち上げ、まず、図１４で示すようにプッシャ６の外側面を相対するソケットケースＮ１の前面側にあてがい、これを基準面として具全体をガラス管Ｇと平行に取手用ポール１で押し上げる。
図１５ａで示すようにチャック４が蛍光灯のガラス管Ｇを挟持爪４ａ，４ｂの開いた相対間に受け入れると、楔状ロック４ｅは、内枠４４の橋絡辺部４４ｃが蛍光灯のガラス管Ｇにより押し下げられて挟持爪４ａ，４ｂの相対間から外れる。これにより、図１５ｂで示すようチャック４は一対の挟持爪４ａ，４ｂが閉じて蛍光灯のガラス管Ｇを把持する。
プッシャは、図１６ａで示すように蛍光灯の口金付近を円弧枠の開いた内側に受け入れると、互いに当たっている下端側が口金付近で押されることから、図１６ｂで示すように円弧枠６ａ，６ｂが閉じて口金付近を蛍光灯に中心軸と同軸上の非接触状態に囲い込む。
これにより、図１７で示すように天井等の比較的高所に設置されている蛍光灯でもチャック４，４’で簡単且つ確実に把持するようにできる。
蛍光灯のガラス管Ｇをチャック４，４’で把持し、蛍光灯の口金Ｃ１をプッシャ６で取り囲んだならば、図１８ａで示すように作業者が操作レバー８を握って伸長コイルスプリング７８を圧縮しつつ可動片７５と共に作動軸７ａを牽引条９で引張り下げる。これにより、図１８ｂで示すように屈伸リンク７ｂ，７ｃが横桁フレーム２に連結した片方７ｃを支点に伸びて可動フレーム５を横桁フレーム２の片筒端より延長方向の外方に伸び出させる。
プッシャ６がソケットケースＮ１と当接状態で、可動フレーム５が横桁フレーム２の片筒端より延長方向に伸び出すと、蛍光灯のガラス管Ｇがチャック４，４’で把持されたままにプッシャ６と相対的にズレ動きつつ、蛍光灯の灯全体によりプッシャ６と反対側のソケットＳ２をソケットケースＮ２の内部に没入させる。横桁フレーム２のプッシャ６側と反対側の端部がソケットケースＮ２に当接すると、図１９で示すようにプッシャ６側の端子ピンＰ１がソケットＳ１の端子穴より抜け出る。
プッシャ６側の端子ピンＰ１がソケットＳ１の端子穴から外れた状態では、作業員がソケットケースＮ２に当接している横桁フレーム２のプッシャ６側と反対側の端部を支点に、具全体を取手用ポールでやや斜めの姿勢にし、プッシャ６側と反対側のソケットソケットＳ２をソケットケースの内側でバネ変位により斜めに没入させながら、図２０で示すように具全体をプッシャ６側から引き下げ、ソケットケースＮ１に当接しているプッシャ６を当該ソケットケースＮ１よりズラし外す。
プッシャ６は、最終的には面取り部６５，６６より外し出せる。
プッシャ６がソケットケースＮ１より外れると、作業員が操作レバー８の握りを解除し、プッシャ６側と反対側の端子ピンＰ２もソケットＳ２の端子穴から外し出せて灯全体を取り外せる。
操作レバー８の握り解除に伴っては、作動軸７ａが伸長スプリング７８により上昇方向に押し上げられると共に、屈伸リンク７ｂ，７ｃが屈折状態に戻ることから、可動フレーム５が元のように横桁フレーム２の筒内に退却する。
この後は、作業員がガラス管Ｇをチャック４，４’で把持したままの蛍光灯を取手用ポール１で手元まで持ち運んでチャック４，４’から外せばよい。
新規な蛍光灯の取付けにあたっては、まず、作業者がプッシャ６の外側面と片方の口金Ｃ１の端面を基準面として合わせ、端子ピンＰ１をプッシャ６の外側面より突出させた状態で蛍光灯のガラス管Ｇをチャック４，４’で把持させ、蛍光灯を横桁フレーム２のフレーム上に組み付ける。
蛍光灯の組付け状態から、作業員が取手用ポール１を持って蛍光灯を含む具全体を設置場所まで持ち上げ、具全体をやや斜めに保ってプッシャ６と反対側の端子ピンＰ２をソケットＳ２の端子穴と位置合わせて差し込む。次に、作業員がプッシャ６と反対側のソケットＳ２を灯全体で斜めに没入変位させながら、プッシャ６を上端側よりソケットケースＮ１と当接させて具全体を押し上げる。この具全体の押上げは、図２１で示すようにプッシャ６側の端子ピンＰ１がソケットケースＮ１の下部近くに接近するまでプッシャ６をソケットケースＮ１とズラし上げる。
次に、作業者が操作レバー８を握り、図２０で示すように可動フレーム５を伸び出させて横桁フレーム２のプッシャ６と反対側の端部をソケットケースＳ２の前面側に当接させる。これにより、図１９で示すように蛍光灯を含む具全体をプッシャ６と相対的にズレ動かせ、プッシャ６と反対側のソケットＳ２を灯全体で斜めに没入変位させながら、プッシャ６側の端子ピンＰ１をソケットＳ１の端子穴と位置合せするようにできる。
プッシャ６側の端子ピンＰ１をソケットＳ１の端子穴に位置合せしたら、作業者が操作レバー８の握りを解除すると、可動フレーム５、屈伸リンク７ｂ，７ｃ、作動軸７ａが伸長スプリング７８により復帰方向に戻ると共に、図１７で示すように蛍光灯を含む具全体がプッシャ６側に戻り、プッシャ６と反対側のソケットＳ２を迫り出させられると同時に、プッシャ６側の端子ピンＰ１をソケットＳ１の端子穴に差し込める。
これにより、蛍光灯を高所の設置場所にも取り付けられ、作業者が具全体を取手用ポール１で引き下げれば、図１４で示すようにチャック４，４’が引張りバネ４ｃ，４ｄに抗して開き、プッシャ６も開いて取り付けた蛍光灯より外すようにできる。
その蛍光灯の取付け，取外しのいずれに際しても、チャック４，４’が蛍光灯のガラス管Ｇと擦れ動くことがなく、また、プッシャ６も蛍光灯のガラス管Ｇと摺接することがないため、ストレスをガラス管Ｇに加えないで、蛍光灯を簡単な操作で容易に着脱交換するようにできる。
本明細書中で用いた用語及び表現は、本発明の説明上便宜的に用いたに過ぎないものであって、本発明の内容を何ら制限するものではない。そのような用語及び表現を用いたからと言って、そのことにより、本明細書に記載した発明の好ましい実施例と均等なもの又はその一部を排除する意図はない。従って、権利が請求されている本発明の範囲内で種々の変更又は修正を加えることが可能であると認められる。
【図１】
2010023763.tif 000003
【図２】
2010023763.tif 000004
【図３】
2010023763.tif 000005
【図４ａ】
2010023763.tif 000006
【図４ｂ】
2010023763.tif 000007
【図５ａ】
2010023763.tif 000008
【図５ｂ】
2010023763.tif 000009
【図５ｃ】
2010023763.tif 000010
【図６】
2010023763.tif 000011
【図７ａ】
2010023763.tif 000012
【図７ｂ】
2010023763.tif 000013
【図８】
2010023763.tif 000014
【図９】
2010023763.tif 000015
【図１０】
2010023763.tif 000016
【図１１】
2010023763.tif 000017
【図１２】
2010023763.tif 000018
【図１３】
2010023763.tif 000019
【図１４】
2010023763.tif 000020
【図１５ａ】
2010023763.tif 000021
【図１５ｂ】
2010023763.tif 000022
【図１６ａ】
2010023763.tif 000023
【図１６ｂ】
2010023763.tif 000024
【図１７】
2010023763.tif 000025
【図１８ａ】
2010023763.tif 000026
【図１８ｂ】
2010023763.tif 000027
【図１９】
2010023763.tif 000028
【図２０】
2010023763.tif 000029
【図２１】
2010023763.tif 000030
【国際調査報告】
2010023763.tif 000031
2010023763.tif 000032
2010023763.tif 000033
2010023763.tif 000034